(57)【要約】      （修正有）【課題】ボールマーカーとグリーンフォークの機能を持ち合わせたボールマーカーで、保持具なしでベルトループ等の衣類の一部に取り付けることが可能なフォーク付きボールマーカーを提供する。【解決手段】主にベルトループを入れる取り込む空間５を備えた板状の本体２であって、空間５は、プレー時の振動によるベルトループからの抜け落ち防止効果のある曲部６を含んだ溝４を介して本体２の外側とつながっており、溝４を構成する片側又は両側は本体２より外側に伸びるフォーク部３ａ又はフォーク部３ａと３ｂを備える。そして、主にベルトループへの静止した吊り下がり時において、ベルトループが溝４と離れて接しないように重心位置が決められる。【選択図】図１
2019033782.tif 000002
【特許請求の範囲】
【請求項１】
衣類のループを取り込む空間５を備えた板状の本体２であって、当該空間５は、溝４を介して前記本体２の外側と繋がっており、前記溝４を構成する片側又は両側は、前記本体２より外側に伸びるフォーク部３aまたはフォーク部３aと３bを備えたことを特徴としたフォーク付きボールマーカー。
【請求項２】
前記溝４は衣類のループを略円弧状に歪曲させるための曲部６を有することを特徴とした請求項１に記載のフォーク付きボールマーカー。
【請求項３】
衣類のループへの静止した吊り下がり時において、衣類のループが前記溝４と離れて接しないように重心位置が決められることを特徴とした請求1又は２に記載のフォーク付きボールマーカー。
【発明の詳細な説明】
【技術分野】
【０００１】
本発明は、ゴルフプレーにおいて使用されるボールマーカー関する。          
【背景技術】
【０００２】
従来のゴルフボールマーカーやグリーンフォークは、携帯方法としてポケットに入れるかクリップやフック等の保持具を介して身に付け、ゴルフボールをマークするときにはボールマーカー、ピッチマークを修正するときはグリーンフォークと、それぞれ単体として二つ所持し利用するのが主である。          
【先行技術文献】
【特許文献】
【０００３】
【特許文献１】実開平６−１５６６６公報
【特許文献２】特開２０１６−１０６８１６公報
【発明の概要】
【発明が解決しようとする課題】
【０００４】
ゴルフプレーにおいてポケットに入れたボールマーカーやグリーンフォークは、ボールやティーと混在し、すぐに取り出せず不便を感じることがある。また、それぞれ単一機能のものが多く使用目的により２つ所持しなければならないのが主である。その解決法としてグリーンフォークにボールマーカーを付着させ一体化したものがあるが、ボールマーカーとして使用時にはマーカー部分を取り外さなければならない。
【課題を解決するための手段】
【０００５】
衣類のループを取り込む空間５を備えた板状の本体２であって、当該空間５は、溝４を介して前記本体２の外側と繋がっており、前記溝４を構成する片側又は両側は、前記本体２より外側に伸びるフォーク部３a又はフォーク部３aと３bを備えたことを特徴としたフォーク付きボールマーカー。
【０００６】
前記溝４は衣類のループを略円弧状に歪曲させるための曲部６を有することを特徴としたフォーク付きボールマーカー。
【０００７】
衣類のループへの静止した吊り下がり時において、衣類のループが前記溝
４と離れて接しないように重心位置が決められることを特徴としたフォーク付きボールマーカー。
【発明の効果】
【０００８】
衣類のループを略円弧状に歪曲させるための曲部を含んだ溝４が、プレー時の振動による衣類のループ等からの抜け落ちを防止し、弾性材に頼らず保持具なしで衣類のループに取り付き可能となり、該衣類のループが前記溝４と離れて接しないよう重心位置が決められるため安定した状態で携帯され、フォーク付きボールマーカー１はグリーンフォークの機能を有するため、プレー時においてグリーンフォーク所持の必要がなくなる。
【図面の簡単な説明】
【０００９】
【図１】本願発明に係るフォーク付きボールマーカーの平面図である。
【図２】本願発明に係るフォーク付きボールマーカーの斜視図である。
【図３】本願発明に係るフォーク付きボールマーカーの使用図である。
【図４】本願発明の変形例に係るフォーク付きボールマーカーの平面図          である。
【図５】本願発明の変形例に係るフォーク付きボールマーカーの斜視図          である。
【発明を実施するための形態】
【００１０】
図１は本発明のフォーク付きボールマーカーの構成を示す平面図、図２は斜視図、図３は使用図、図４は変形例の平面図、図５は変形例の斜視図である。
本発明に係るフォーク付きボールマーカー１は、空間５を備えた板状の本体２と、前記空間５より前記本体２の外側に繋がっている溝４と、該溝４を構成する片側又は両側は、前記本体２より外側に伸びるフォーク部３a又はフォーク部３aと３bで構成される。現在ゴルフ規則においてボールマーカーの明確な大きさや形の規制はなく、プレーに支障を来さない物であれば良いとされている。本発明フォーク付きボールマーカー１は、平面視横幅３５ｍｍ、平面視縦幅４５ｍｍ、厚み３ｍｍ以内でフォーク部３の長さは１８ｍｍ程度が好ましく、当該本体２の平面視の大まかな外形は理想的には略円形であるが、ゴルフ規則の範囲内であれば楕円、多角形等他の形状も可能である。
【００１１】
本体２の外側に設けられたフォーク部３a、３bは、ピッチマークを修復するグリ−ンフォークの機能を持つため、素材としては硬度と強度を併せ持った金属類が好ましく、表面仕上げは凹凸のみによる仕上げ、加えて凹部に色入れをした仕上げ、または印刷後にエポキシ樹脂でのコーティング仕上げなど考えられる。
本発明のフォーク付きボールマーカー１は、主にベルトループに取り付けられるが、ハンガーループ、定革、遊革など他のループ部分も考えられる。
前記フォーク部３a、３bの本体２より外側に伸びる方向は、ベルトループを前記溝４に導きやすい向きであれば良く、フォーク部３aとフォーク部３bの先端部の間隔は１１ミリ程度が好ましい。
前記フォーク部３a、３bの先端はベルトループを傷つけないよう、また怪我をしないため平面視直径２ｍｍ程度の丸みをおび，該フォーク部３aの先端より空間５の奥までがベルトループ等に通す部分であり、スムーズな出し入れのため平面視の幅が１０ミリ以下で成形されることが好ましい。
【００１２】
空間５は幅１５ミリ程度のベルトループを少しの余裕を持って挿入できる大きさであって、溝４との繋がりは滑らかな形状が好ましく、前記空間５の形状は前記の条件を満たしていれば自由であり、グリーンフォークとしての使用時には親指腹部が前記空間５におさまり力が伝えやすくなる。
【００１３】
溝４の幅は平面視１．２ミリ程度で、マーカーのベルトループへの付け外しに支障のない滑らかな仕上げで、ベルトループの生地を略円弧状に歪曲させ振動による抜け落ち防止効果のある曲部６を含んでいる。ベルトループに取り付いたフォーク付きボールマーカー１は、溝４がベルトループ等と離れて接触しないように重心位置を決めることにより安定したベルトループへの吊り下がり状態で保持される。
【００１４】
図３は本発明のフォーク付きボールマーカー１のベルトループへ取付時の図であり、本体２またはフォーク部３bをつまみ前記フォク部３aをベルトループに回転ぎみに通して空間５へ取り込む。そしてベルトループからの取り外しは、前記本体２を挿入時とは逆方向に移動させる。
【００１５】
本発明のフォーク付きボールマーカー１は、フォーク部３a３bの長さが１０ｍｍ程度とした場合は単一機能のボールマーカーとして、１８ｍｍ程度とした場合はグリーンフォークの機能を併せ持ったフォーク付きボールマーカーとなる。また、フォーク部３bを省けば図４及び図５にあるフォーク部３aのみのシングルタイプとして変化できる。
【符号の説明】
【００１６】
１        フォーク付きボールマーカー    
２        本体                
３        フォーク部
フォーク部  ３a
フォーク部  ３b                    
４        溝
５        空間
６        曲部
７        ベルトループ
８        ベルト                      
【図１】
2019033782.tif 000003
【図２】
2019033782.tif 000004
【図３】
2019033782.tif 000005
【図４】
2019033782.tif 000006
【図５】
2019033782.tif 000007